【事件の表示】
　特許第３１５６９４０号「液体滲出装置」の請求項１、３、４に係る特許に対する特許異議の申立てについて、次のとおり決定する。
【結　論】
　訂正を認める。
　特許第３１５６９４０号の請求項１、３、４に係る特許を維持する。
【理　由】
【１】手続きの経緯
　平成　４年　７月１６日　特許出願
　平成１３年　２月　９日　設定登録
　平成１３年１０月　５日　特許異議の申立
　平成１４年　１月２２日　取消理由通知
　平成１４年　３月１８日　意見書
　平成１４年　５月　７日　取消理由通知
　平成１４年　６月　３日　意見書・訂正請求書
　
【２】訂正の内容
（１）特許請求の範囲の訂正
　請求項１を下記のとおり訂正
　「放水タップから水が供給される貯水タンクの一面である蓋の、排水口の上方に配置される、容器内部の溶液を流水中に滲出させるための液体滲出装置において、
　液体容器として用いる下部となる部位に開口を設け、該開口に吸液材が嵌合されて吸液材の一端と容器内部の溶液とが接触状態にされると共に該容器の少なくとも一部に容器内外の圧を調節する手段が設けられ、前記吸液材の底面積が前記排水口の開口面積より大きくされ、前記排水口の上方で前記吸液材に水が接することにより溶液が滲出するように前記吸液材が配設されたことを特徴とする液体滲出装置。」
（２）発明の詳細な説明の訂正
　段落【０００４】（公報３欄１６〜３２行）を下記のとおり訂正
　「【問題点を解決するための手段】
　この発明は前記の問題点を解決するために、液体容器の下部に開口を設け、該開口に吸液材が嵌合されて吸液材の一端と容器内部の溶液とが接触状態にされると共に、該容器の少なくとも一部に容器内外の圧を調節する手段を設け、前記吸液材の底面積が貯水タンクの蓋の排水口の開口面積より大きくされ、前記排水口の上方で前記吸液材に水が接することにより溶液が滲出するように前記吸液材が配設された液体滲出装置を得たものである。
　また、この発明は前記の問題点を解決するために、貯水タンクの一面である側面に取り付けられる、容器内部の溶液を水中に滲出させるための液体滲出装置であって、前記容器の下部に、容器内部に連通するパイプが設けられ、該パイプの先端開口に、水が接することにより溶液を滲出しうる吸液材が嵌合され、前記容器の少なくとも一部に容器内外の圧を調節する手段が設けられ、前記パイプ先端が前記貯水タンクの導水管取付孔から貯水タンク内部に挿入されることを特徴とする液体滲出装置を得たものである。」
　
【３】訂正の適否についての判断
（１）特許請求の範囲の訂正
　上記訂正は、訂正前の請求項１に記載された吸液材と容器内部の溶液との関係を、明細書に記載されていた実施例に即して下位概念に限定したものであり、特許請求の範囲の減縮を目的とするものに該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明りょうな記載の釈明を目的とするものと認められる。
（３）むすび
　以上のとおりであるから、上記訂正は、特許法第１２０条の４第３項で準用する平成６年法律第１１６号による改正前の特許法第１２６条第１項ただし書き及び第２項の規定に適合するので、当該訂正を認める。
　
【４】特許異議申立てについての判断
（１）本件発明
　本件各請求項に係る発明は、上記訂正明細書の請求項１〜４に記載された以下のとおりのものである。
「【請求項１】放水タップから水が供給される貯水タンクの一面である蓋の、排水口の上方に配置される、容器内部の溶液を流水中に滲出させるための液体滲出装置において、
液体容器として用いる下部となる部位に開口を設け、該開口に吸液材が嵌合されて吸液材の一端と容器内部の溶液とが接触状態にされると共に該容器の少なくとも一部に容器内外の圧を調節する手段が設けられ、前記吸液材の底面積が前記排水口の開口面積より大きくされ、前記排水口の上方で前記吸液材に水が接することにより溶液が滲出するように前記吸液材が配設されたことを特徴とする液体滲出装置。
【請求項２】（記載を省略）
【請求項３】前記の容器内外の圧を調節する手段は、容器に設けたバランス孔であることを特徴とする請求項１又は２記載の液体滲出装置。
【請求項４】前記の容器内外の圧を調節する手段は、該容器内に設けられ、容器外に開口したチューブであることを特徴とする請求項１〜３のいずれかに記載の液体滲出装置。」
　
（２）異議申立ての理由の概要
　特許異議申立人は、甲第１号証（特開平２−２２９３３３号公報、平成１４年１月２１日付取消理由通知で引用、以下「刊行物」という。）を提出し、本件特許の請求項１，３，４に係る発明（以下、「本件発明」という。）は、刊行物に記載された発明であり、又は刊行物記載の発明に基づいて当業者が容易に発明をすることができたものであるから、特許法第２９条第１項第３号、又は同条第２項の規定に違反してなされたものであり同法第１１３条第１項第２号の規定により取り消されるものである旨、主張している。
　
（３）刊行物記載の発明
　刊行物には、以下の記載がある。
　「液体の流出する吐出口を有する液体芳香清浄剤を収納した容器と、吐出口より流出した液体芳香清浄剤が浸透し保持される浸透部と、容器を吐出口を下向きにしてタンク上に支持する補助台とからなり、該浸透部に保持された液体芳香清浄剤を手洗い水により溶解してタンク内に流入せしめるようにしたことを特徴とするオンタンク式水洗トイレ用液体芳香清浄剤装置。」（特許請求の範囲）
　「水洗トイレ用自動芳香清浄剤には、固形芳香清浄剤を溶解速度を調節する容器に充填するタイプとそのまま貯水槽に投入するタイプがある。容器を使用するタイプには貯水槽内に容器を入れるインタンク式と手洗い部に容器を設置するオンタンク式がある。」（１頁右下欄１〜６行）
　「本発明の液体芳香洗浄剤装置は吐出口４を有する液体芳香洗浄剤５を収納した容器１、液体芳香洗浄剤の浸透部２、貯水タンク上で容器１を吐出口４を下向きにして支持する補助台３からなる。吐出口４には適当な大きさの小孔４’が設けられていて液体が少量ずつ流下していくようになっている。
　液体芳香洗浄剤５は容器１の下部の吐出口４に接して設けられた浸透部２に浸透し、一定量浸透した後は容器内が液の浸透した分だけ減圧になるため、それ以上は流出しなくなる。また、減圧を利用しないで容器に空気抜きをつける場合は、吐出口の小孔４’の径を充分小さくすることにより吐出量をコントロールすることができる。」（２頁右上欄４〜１８行）
　「また、浸透部はフラッシュ１回分の芳香清浄剤を保持できるものであればよく、その材質、形状は特に限定されない。例えば第１図に示したような金網メッシュを重ねたものでも、また第２図に示したような吐出口４から貯水槽の穴７’内に延びるように設けられた筒状の浸透部でもよい。」（２頁右下欄７〜１３行）
　第１，２図の記載
　第１図において、浸透部２は、容器１の下部の吐出口４の下部に接して取り付けられ、その径が、下方の穴７’よりも大径であることが、当業者において明らかである。
　また、第２図において、浸透部２は、容器１の下部の吐出口４の下方にパイプ状の部材を介して取り付けられていることが、当業者において明らかである。
　
（４）対比・判断
　訂正後の本件発明と甲第１号記載のものとを対比すると、甲第１号証には、少なくとも本件発明の「吸液材の一端と容器内部の溶液とが接触状態にされる」点について何等記載されておらず、示唆もない。
　そして、本件発明は、上記構成と他の構成とが相俟って、明細書記載の作用効果を奏するものである。
　したがって、本件発明は、甲第１号証に記載された発明であるとも、また、甲第１号証記載の発明に基いて当業者が容易に発明をすることができたものとも、いえない。
　
（５）むすび
　以上のとおりであるから、特許異議申立ての理由及び証拠によっては、本件の請求項１，３，４に係る発明についての特許を取り消すことはできない。
　また、他に本件の請求項１，３，４に係る発明についての特許を取消すべき理由を発見しない。
　よって、結論のとおり決定する。
【異議決定日】
平成１４年６月１０日（２００２．６．１０）
【訂正の要旨】
（１）特許請求の範囲の訂正
　請求項１を下記のとおり訂正
　「放水タップから水が供給される貯水タンクの一面である蓋の、排水口の上方に配置される、容器内部の溶液を流水中に滲出させるための液体滲出装置において、
　液体容器として用いる下部となる部位に開口を設け、該開口に吸液材が嵌合されて吸液材の一端と容器内部の溶液とが接触状態にされると共に該容器の少なくとも一部に容器内外の圧を調節する手段が設けられ、前記吸液材の底面積が前記排水口の開口面積より大きくされ、前記排水口の上方で前記吸液材に水が接することにより溶液が滲出するように前記吸液材が配設されたことを特徴とする液体滲出装置。」
（２）発明の詳細な説明の訂正
　段落【０００４】（公報３欄１６〜３２行）を下記のとおり訂正
　「【問題点を解決するための手段】
　この発明は前記の問題点を解決するために、液体容器の下部に開口を設け、該開口に吸液材が嵌合されて吸液材の一端と容器内部の溶液とが接触状態にされると共に、該容器の少なくとも一部に容器内外の圧を調節する手段を設け、前記吸液材の底面積が貯水タンクの蓋の排水口の開口面積より大きくされ、前記排水口の上方で前記吸液材に水が接することにより溶液が滲出するように前記吸液材が配設された液体滲出装置を得たものである。
　また、この発明は前記の問題点を解決するために、貯水タンクの一面である側面に取り付けられる、容器内部の溶液を水中に滲出させるための液体滲出装置であって、前記容器の下部に、容器内部に連通するパイプが設けられ、該パイプの先端開口に、水が接することにより溶液を滲出しうる吸液材が嵌合され、前記容器の少なくとも一部に容器内外の圧を調節する手段が設けられ、前記パイプ先端が前記貯水タンクの導水管取付孔から貯水タンク内部に挿入されることを特徴とする液体滲出装置を得たものである。」
（５４）【発明の名称】
液体滲出装置
（５７）【特許請求の範囲】
　【請求項１】　放水タップから水が供給される貯水タンクの一面である蓋の、排水口の上方に配置される、容器内部の溶液を流水中に滲出させるための液体滲出装置において、
　液体容器として用いる下部となる部位に開口を設け、該開口に吸液材が嵌合され
て吸液材の一端と容器内部の溶液とが接触状態にされる
　【請求項２】　貯水タンクの一面である側面に取り付けられる、容器内部の溶液を水中に滲出させるための液体滲出装置であって、
　前記容器の下部に、容器内部に連通するパイプが設けられ、該パイプの先端開口に、水が接することにより溶液を滲出しうる吸液材が嵌合され、前記容器の少なくとも一部に容器内外の圧を調節する手段が設けられ、前記パイプ先端が前記貯水タンクの導水管取付孔から貯水タンク内部に挿入されることを特徴とする液体滲出装置。
　【請求項３】　前記の容器内外の圧を調節する手段は、容器に設けたバランス孔であることを特徴とする請求項１又は２記載の液体滲出装置。
　【請求項４】　前記の容器内外の圧を調節する手段は、該容器内に設けられ、容器外に開口したチューブであることを特徴とする請求項１〜３のいずれかに記載の液体滲出装置。
【発明の詳細な説明】
　【０００１】
　【産業上の利用分野】
　この発明は、容器の液剤を流水中に滲出させる液体滲出装置に関する。
　【０００２】
　【従来の技術】
　従来の流水中に液剤を添加する手段としては、液剤を収納した容器に排出口を設け、液剤に浮体を浮かせ、液剤がなくなれば浮体が下がって排出口を閉じるようにしていた。
　【０００３】
　【この発明が解決すべき問題点】
　前記のような従来の装置では容器に排出孔を設けているので、外気の温度や排出孔の径により供給量にバラツキが出たり、又内容液が滴下されて少なくなってくると、容器内が減圧となり、外部より水が侵入し、内容液が希釈されるなどの問題がある。
　【０００４】
　【問題点を解決するための手段】
　この発明は前記の問題点を解決するために、液体容器の下部に開口を設け、該開口に吸液材が嵌合され
て吸液材の一端と容器内部の溶液とが接触状態にされる
　また、この発明は前記の問題点を解決するために、貯水タンクの一面である側面に取り付けられる、容器内部の溶液を水中に滲出させるための液体滲出装置であって、前記容器の下部に、容器内部に連通するパイプが設けられ、該パイプの先端開口に、水が接することにより溶液を滲出しうる吸液材が嵌合され、前記容器の少なくとも一部に容器内外の圧を調節する手段が設けられ、前記パイプ先端が前記貯水タンクの導水管取付孔から貯水タンク内部に挿入されることを特徴とする液体滲出装置を得たものである。
　【０００５】
　【作用】
　この発明では容器内外の圧を調節するので、容器内の液剤が吸液材を介して水流中に排出されても容器内部の圧が下がって水が侵入し、液剤が希釈されることはない。又外気温によって滲出量に変動が起きることもない。
　そして、吸液材に水が確実に接触し、容器内の溶液がその水に持続的に滲み出す。
　この発明において、吸液材としては、液剤が徐々に滲出するものであれば、芯状、板状、ブロック状、柱状、錐状、等のものが使用され、少なくとも１個以上を容器の少なくとも一部に設けることができる。
　材質としては、無機、有機の多孔体、発泡体、天然もしくは合成繊維の編織物、不織物、チューブ等が用いられる。吸液材の密度は０．２〜２．０ｇ／ｃｍ３であることが好ましい。
　【０００６】
　この発明において、容器内外の圧を調節する手段としては、容器内外の空間の間に直接もしくは間接に空気が連通するものであればよく、容器自体の全部若しくは少なくとも一部に通気性だが液体を通さない微多孔性素材を用いたり、バランス孔、チューブなどのいずれか一方を使用することができる。なおこの調節手段として、吸液材に通気孔を設けてもよい。バランス孔には使用時開口しうるようなシール部材を採用してもよい。又シール部材に代えて、開閉蓋を設けるようにしてもよい。
　この発明で容器内に収容される液剤としては、殺虫剤、殺菌剤、忌避剤、芳香剤、洗浄剤、芳香・洗浄剤、植物成長調整剤、肥料、除草剤、化粧品、入浴剤、医薬品等を配合したものを挙げることができる。
　【０００７】
　上記の液剤は、予め或いは使用に際し液状になればよく、粘度があるものでもよい。このように粘度を付する場合には、各種の増粘剤を添加するが、元々液剤自体に粘性のある時には、そのまゝ液剤自体の粘性を調整するだけでよい。
　上記増粘剤としては、メチルセルロース、カルボキシメチルセルロース等のセルロース誘導体、キサンタンガム、カラギーナン等の天然多糖類、ポリアクリル酸ソーダ、ポリビニルアルコール等の合成増粘剤、デンプン、ゼラチン等が挙げられる。
　これらの増粘剤の液剤に対する配合量は使用される液剤の種類により異なるが通常０．１〜２０％の範囲で用いられるが、これに限定されるものではない。
　液剤の粘度は得られる液剤の種類により異なるが、通常５０〜５００００ｃｐ（センチポアズ）の範囲に調整されるが、これに限定されるものではない。
　【０００８】
　【実施例】
　図１はこの発明の第１実施例の側断面図、図２は使用状況の一例を示す説明図であって、水洗トイレの貯水タンクに用いたところを示している。
　図１において、１は容器であって、容器１の側部の上方に圧力調整手段として孔２が設けられ、孔２は使用時には剥離するシール２ａで密封されている。又、使用時において、容器１の底面となる面１ａには開口１ｂが設けられ、この開口１ｂには吸液材３が開口を密封状態にするように嵌合されている。
　６は容器内の液剤、１ｃは空間を示し、孔２は容器１内の空間１ｃが形成される部位と連通する側部に設けられる。
　図２は使用状況の一例を示し、水洗トイレの貯水タンク４の蓋４１の排水口４２の上方に支持部材４４などを介して吸液材３を下にして容器１を載置する。４３は放水タップである。吸液材の底面積を大とするか、複数で点在させるか、あるいは吸液材を側面に設けることで支持部材は不要となる。もちろん吸液材の足の長さに見合う支持体を容器にバランスよく設けてもよい。
　【０００９】
　使用に当たっては、シール２ａを孔２から剥離した後、図に示すように吸液材を下にして放水タップ４３から排水口４２への流れに吸液材３が接触するように支持部材４４上などに載置することでセットが完了する。
　そうすれば流水と接触することで、容器内の液剤が吸液材３を介して毛細管現象で流水中に滲み出してくるので、水と接触するごとに徐々に水に溶解し、液剤は吸液材の方に補充され、持続的な使用が可能となる。
　そして容器内の液剤が減ってきても、孔２によって容器内外の圧が調節されるので、水が侵入し液剤が希釈されることがない。
　図示の例では水洗トイレのタンクに用いられているが、これに限らず、浴室の排水口、浴槽中の湯（水）、流し台の排水口、洗面器の排水口のある箇所や、池、浄化槽、河川、水田、プール、養漁場、水耕栽培場などで、載置したり水に浮かべたりして用いることができる。
　【００１０】
　図３は第２実施例を示し、容器１の吸液材３が設けられている面１ａに圧力調節手段としてチューブ５が容器内方へ挿入されており、該チューブ５は容器１内の空間１ｃに達する長さを有している以外は図１のものと実質的に同一である。
　第１実施例では孔２が容器１の上側面に形成されているので、孔２の大きさによっては容器１内に水が入る惧があるが、第２実施例ではチューブ５を有しているので、水が空間１ｃに入る惧は少ない。孔にひさしをつければ、孔２が大きくても水の入る惧はなくなる。
　図４は放水タップのない型式の貯水タンクに取りつける鉤形容器の例を示し、容器１の上部開口２′には通気性シール２ａが展張されており、下部孔２４には容器１の延長部としての鉤型のパイプ２１がパッキン２２，２４を介して挿入され、パイプ２１の先端開口２１ｂには吸液材３が挿入されて取りつけられている。２３は容器１の側面に設けられた固定部材（例えば粘着材）である。
　図５は図４に示す容器１を放水タップのない型式の水洗トイレの貯水タンク４の側面に固定部材（例えば粘着材）２３によって取りつけられているところを示す。パイプ２１は貯水タンク４の導水管取付孔４５からタンク内部に挿入される。
　図６は吸液材自体に通気孔を設けたさらに別の実施例を示し、吸液材３に通気孔３１が設けられている。これにより通気孔３１が図３に示す実施例のチューブ５の作用を行うので、構成が簡素になる。
　【００１１】
　【発明の効果】
　この発明の液体滲出装置は前記のような構成であって、吸液材と圧力調節手段とを組合せることで流水中に液剤をきわめて効率よく滲出させることができ、外気温によって滲出量が変動せず、滲出量が一定になるとともに、減圧により液剤が希釈されずに一定の濃度を保つという効果を有する。
【図面の簡単な説明】
　【図１】　この発明の第１実施例の側断面図である。
　【図２】　使用状況の一例の説明図である。
　【図３】　第２実施例の側断面図である。
　【図４】　第３実施例の側断面図である。
　【図５】　第３実施例の使用状況の説明図である。
　【図６】　第４実施例の側断面図である。
　【符号の説明】
　　１　　容器
　１ａ　　底面
　１ｂ　　開口
　１ｃ　　空間
　　２　　孔
　２ａ　　シール
　２１　　パイプ
　２２　　パッキン
　２３　　固定部材
　２４　　下部孔
　　３　　吸液材
　３１　　通気孔
　　４　　水洗トイレの貯水タンク
　４１　　蓋
　４２　　排水口
　４３　　放水タップ
　４４　　支持部材
　４５　　導水管取付孔
　　５　　チューブ
　　６　　液剤